(57)【要約】【課題】  音声信号と表示回路との電磁界結合に因るノイズが抑制された音声信号を所定の伝送先に伝送する。【解決手段】  音声信号を伝送する音声信号伝送回路１は、電磁界結合抑制部２とノイズ減衰部３とのうちの一方又は両方を備えている。電磁界結合抑制部２は、音声を電気信号に変換した音声信号と、情報を表示する表示部を駆動する表示回路との電磁界結合を抑制する機能を備えている。ノイズ減衰部３は、前記表示回路との前記電磁界結合に起因した前記音声信号のノイズを減衰させる機能を備えている。【選択図】      図１
2011229048.tif 000002
【特許請求の範囲】
【請求項１】
音声を電気信号に変換した音声信号と、情報を表示する表示部を駆動する表示回路との電磁界結合を抑制する電磁界結合抑制部と、
前記表示回路との前記電磁界結合に起因した前記音声信号のノイズを減衰させるノイズ減衰部とのうちの一方又は両方を備えている音声信号伝送回路。
【請求項２】
前記電磁界結合抑制部として、前記音声信号を伝送する音声信号路のインピーダンスを設定する回路であって、前記音声信号の周波数帯域では前記音声信号を所定の電圧レベルにするインピーダンスであり、前記表示回路の駆動周波数帯域では前記音声信号の周波数帯域よりも低いインピーダンスの負荷抵抗回路を備えている請求項１記載の音声信号伝送回路。
【請求項３】
前記負荷抵抗回路は、前記音声の周波数帯域に共振周波数を持つ並列共振回路を含んでいる請求項２記載の音声信号伝送回路。
【請求項４】
前記電磁界結合抑制部として、前記電磁界結合が生じやすい前記音声信号の経路部分よりも前記音声信号の上流側に配置され前記音声信号を光信号に変換する光変調部と、前記電磁界結合が生じやすい前記音声信号の経路部分よりも前記音声信号の下流側に配置され前記光信号を電気信号に変換する光復調部と、前記光変調部から前記光復調部に前記光信号を伝送する光伝送路とを備えている請求項１記載の音声信号伝送回路。
【請求項５】
前記電磁界結合抑制部として、前記電磁界結合が生じやすい前記音声信号の経路部分よりも前記音声信号の上流側に配置され前記音声信号を搬送波に乗せて無線送信する音声信号無線送信部と、前記電磁界結合が生じやすい前記音声信号の経路部分よりも前記音声信号の下流側に配置され前記無線送信された前記搬送波を受信して前記音声信号を復調する音声信号無線受信部とを備えている請求項１記載の音声信号伝送回路。
【請求項６】
前記ノイズ減衰部として、前記電磁界結合が生じやすい前記音声信号の経路部分よりも前記音声信号の上流側に配置され前記音声信号を増幅する前置増幅部と、前記電磁界結合が生じやすい前記音声信号の経路部分よりも前記音声信号の下流側に配置され前記増幅された前記音声信号を減衰する減衰部とを備えている請求項１記載の音声信号伝送回路。
【請求項７】
前記ノイズ減衰部として、前記マイクから出力されたアナログの前記音声信号をデジタル信号に変換するデジタル変換部と、前記電磁界結合が生じやすい前記音声信号の経路部分よりも前記音声信号の下流側に配置されデジタルの前記音声信号をアナログ信号に変換するアナログ変換部とを備えている請求項１記載の音声信号伝送回路。
【請求項８】
前記デジタル変換部はデルタシグマ変換器を含み、前記アナログ変換部はローパスフィルタを含む請求項７記載の音声信号伝送回路。
【請求項９】
情報を表示する表示部を駆動する表示回路と、
音声を電気信号に変換した音声信号を出力するマイクと、
前記音声信号を信号処理する音声信号処理部と、
前記マイクから前記表示回路の周辺領域を通って前記音声信号処理部に前記音声信号を伝送する音声信号伝送回路と、
を備え、
前記音声信号伝送回路は、請求項１乃至請求項８の何れか一つに記載の音声信号伝送回路である端末装置。
【請求項１０】
音声が電気信号に変換された音声信号と、情報を表示する表示部を駆動する表示回路との電磁界結合を抑制するか、または、前記表示回路との前記電磁界結合に起因した前記音声信号のノイズを減衰させるか、または、前記電磁界結合を抑制し且つ前記ノイズを減衰させ、
前記ノイズの抑制された前記音声信号を所定の伝送先に伝送する音声信号伝送方法。
【発明の詳細な説明】
【技術分野】
【０００１】
本発明は、音声信号を伝送する音声信号伝送回路、それを備えた端末装置および音声信号伝送方法に関するものである。
【背景技術】
【０００２】
図１１には、端末装置である携帯端末装置の一例が模式的に示されている。この携帯端末装置１００は、第１筐体１０１と、第２筐体１０２とを備えている。第１筐体１０１には、キーボードを含む操作部１０３や、装置動作を制御する制御部１０４が配設されている。第２筐体１０２には、例えば液晶ディスプレイ等の表示部１０５や、当該表示部１０５を駆動する表示回路１０６が設けられている。
【０００３】
ところで、情報化社会が進む中、携帯端末装置１００の表示部１０５の大型化や、操作部１０３のフルキーボード化の要求がある。この要求に応じると、キーボード１０３の操作音が大きくなる傾向にある。このため、携帯端末装置１００にマイクを備える場合には、音声と共にキーボード１０３の操作音がマイクに取り込まれて音声の雑音になることを懸念して次のような手法を講じることが考えられる。例えば、図１１に示すようにマイク１０７を表示部１０５よりもキーボード１０３から離した位置に設けることがある。特許文献１には、パーソナルコンピュータにおいて、マイクを表示部よりも操作部から離して設ける例が示されている。
【先行技術文献】
【特許文献】
【０００４】
【特許文献１】特開２０００−２０７０８６号公報（特に、図４参照）
【特許文献２】特開２００１−２９８４０１号公報
【特許文献３】特開２００３−１７４４０８号公報
【特許文献４】特開２０１０−２８７８３号公報
【発明の概要】
【発明が解決しようとする課題】
【０００５】
ところで、マイク１０７に取り込まれた音声は電気信号に変換され、当該電気信号（音声信号）はマイク１０７から出力される。そして、この音声信号は制御部１０４に伝送される。このマイク１０７から制御部１０４への音声信号の経路中には、表示回路１０６と共通の回路基板に形成された配線パターン（図示せず）が含まれる。前述したように、図１１の例では、マイク１０７は、表示部１０５（表示回路１０６）よりも操作部１０３（換言すれば第１筐体１０１）から離れた位置に設けられている。このため、上記音声信号を伝送する配線パターンは、第１筐体１０１側の制御部１０４に向かって長く、また、前記回路基板の小型化のために表示回路１０６に近接して形成されることになる。このために、当該配線パターンを通る音声信号と、表示回路１０６を構成する配線パターンを通電している駆動信号とが上記配線パターン間で電磁界結合を起こすことにより、表示回路１０６の駆動信号に起因したノイズが音声信号に乗りやすくなる。上記配線パターンの音声信号は数ミリボルトというような微弱な信号であることから、そのようなノイズの混入によって音声信号のＳＮ（シグナル／ノイズ）比は非常に悪くなる。これにより、例えば、その音声信号に基づいて音声を発した場合に当該音声が割れるというような弊害が生じる。
【０００６】
本発明は上記課題を解決するためになされたものである。つまり、本発明の目的は、表示回路との電磁界結合に因るノイズが抑制された音声信号を所定の伝送先に伝送する音声信号伝送回路、端末装置および音声信号伝送方法を提供することにある。
【課題を解決するための手段】
【０００７】
本発明の音声信号伝送回路は、
音声を電気信号に変換した音声信号と、情報を表示する表示部を駆動する表示回路との電磁界結合を抑制する電磁界結合抑制部と、
前記表示回路との前記電磁界結合に起因した前記音声信号のノイズを減衰させるノイズ減衰部とのうちの一方又は両方を備えている。
【０００８】
本発明の端末装置は、
情報を表示する表示部を駆動する表示回路と、
音声を電気信号に変換した音声信号を出力するマイクと、
前記音声信号を信号処理する音声信号処理部と、
前記マイクから前記表示回路の周辺領域を通って前記音声信号処理部に前記音声信号を伝送する音声信号伝送回路と、
を備え、
前記音声信号伝送回路は、上記本発明の音声信号伝送回路である。
【０００９】
本発明の音声信号伝送方法は、
音声が電気信号に変換された音声信号と、情報を表示する表示部を駆動する表示回路との電磁界結合を抑制するか、または、前記表示回路との前記電磁界結合に起因した前記音声信号のノイズを減衰させるか、または、前記電磁界結合を抑制し且つ前記ノイズを減衰させ、
前記ノイズの抑制された前記音声信号を所定の伝送先に伝送する。
【発明の効果】
【００１０】
本発明によれば、表示回路との電磁界結合に因るノイズが抑制された音声信号を所定の伝送先に伝送できる。
【図面の簡単な説明】
【００１１】
【図１】本発明に係る第１実施形態の音声信号伝送回路および端末装置を説明するためのブロック図である。
【図２】第２実施形態の端末装置を説明するための図である。
【図３】第２実施形態における音声信号伝送回路を説明するための回路図である。
【図４】図３に示した音声信号路のインピーダンス特性を表したグラフである。
【図５】第２実施形態における音声信号伝送回路の構成から得られる効果の一つを説明するための図である。
【図６】第３実施形態における音声信号伝送回路を説明するための図である。
【図７】第４実施形態における音声信号伝送回路を説明するための図である。
【図８】第５実施形態における音声信号伝送回路を説明するための図である。
【図９】第６実施形態における音声信号伝送回路を説明するための図である。
【図１０】マイクの音孔を表示部の近傍に設けたことによる効果を説明するために利用した比較例の端末装置の外観図である。
【図１１】端末装置の一形態例を表した外観図である。
【発明を実施するための形態】
【００１２】
以下に、本発明に係る実施形態を図面を参照して説明する。
【００１３】
（第１実施形態）
第１実施形態の音声信号伝送回路は、図１（ａ）に示されるような電磁界結合抑制部２を備えるか、図１（ｂ）に示されるようなノイズ減衰部３を備えるか、あるいは、図１（ｃ）に示されるように電磁界結合抑制部２とノイズ減衰部３の両方を備えている。電磁界結合抑制部２は、音声を電気信号に変換した音声信号と、情報を表示する表示部を駆動する表示回路との電磁界結合を抑制する機能を備えている。ノイズ減衰部３は、前記表示回路との前記電磁界結合に起因した前記音声信号のノイズを減衰させる機能を備えている。
【００１４】
この第１実施形態の音声信号伝送回路１では、上記のような電磁界結合抑制部２やノイズ減衰部３を備えているので、前記表示回路に起因したノイズが抑制された音声信号を所定の伝送先に伝送できる。
【００１５】
上記のような音声信号伝送回路１は、図１（ｄ）に示されるように、端末装置５に組み込まれ当該端末装置５を構成することができる。つまり、端末装置５は、以下に述べるような、マイク６と、表示回路７と、音声信号処理部８と、音声信号伝送回路９とを備えている。マイク６は、音声を電気信号に変換した音声信号を出力する機能を備えている。表示回路７は、情報を表示する表示部（図示せず）を駆動する回路である。音声信号処理部８は、マイク６から出力された音声信号を信号処理する機能を備えている。音声信号伝送回路９は、マイク６から表示回路７の周辺領域を通って音声信号処理部８に前記音声信号を伝送するものであり、ここでは、上述した音声信号伝送回路１により構成されている。
【００１６】
この第１実施形態の端末装置５では、音声信号伝送回路１を備えているので、音声信号処理部８には、表示回路７に起因したノイズが抑制された音声信号を供給することができる。これにより、例えば端末装置５が音声信号を録音する場合には、雑音の少ないクリアな音声を録音できる。また、端末装置５が音声信号を外部に送信する場合には、送信先に、雑音の少ない音声信号を提供できる。
【００１７】
（第２実施形態）
以下に、第２実施形態を説明する。
【００１８】
この第２実施形態における音声信号伝送回路が組み込まれている端末装置は、携帯電話機能を備えた端末装置である。図２（ａ）には、その端末装置の外観図が模式的に示され、図２（ｂ）には、端末装置における第２実施形態において主要な部分のブロック構成図が示されている。
【００１９】
この第２実施形態の端末装置２０は、以下に詳細を述べる、表示側筐体２１と、マイク２２と、表示部２３と、表示回路２４と、音声信号伝送回路２５とを備えている。さらに、端末装置２０は、キー側筐体２７と、操作部であるキー操作部２８と、スピーカ２９と、制御部３０と、無線部３１と、アンテナ３２とを備えている。
【００２０】
すなわち、表示側筐体２１は、マイク２２や表示回路２４等が搭載された回路基板（図示せず）を収容し、さらに、その一表面から露出するように表示部２３を収容する態様を備えている。この表示側筐体２１には、表示部２３が露出している面と同じ面であって表示部２３よりも後述するヒンジから離れた部分に、マイク２２の音孔２２Ａが形成されている。
【００２１】
キー側筐体２７は、スピーカ２９と制御部３０と無線部３１とアンテナ３２を収容し、さらに、その一表面にはキー操作部２８が設けられている態様を備えている。このキー側筐体２７の端面２７ｔ（具体的には、端末装置２０を操作している最中の操作者と向き合うと想定される端面）には、スピーカ２９の音孔２９Ａが形成されている。
【００２２】
上記のような表示側筐体２１と、キー側筐体２７とは、ヒンジ（図示せず）によって連結されており、ヒンジを中心にして表示側筐体２１とキー側筐体２７とは相対的に回転変位可能になっている。つまり、この第２実施形態の端末装置２０は、いわゆる折り畳みタイプ（クラムシェルタイプ）の装置となっている。
【００２３】
表示部２３は、情報を表示するものであり、例えば液晶ディスプレイ等により構成される。表示回路２４は、表示部２３に隣接配置され当該表示部２３を駆動する回路であり、例えば、表示ドライバ回路や照明用昇圧回路等が含まれている。
【００２４】
マイク２２は、表示側筐体２１の音孔２２Ａに隣接配置されている。当該マイク２２は、主に通話用として使用されるものであり、音声を電気信号に変換して音声信号として出力する機能を備えている。
【００２５】
この第２実施形態では、上述したように、マイク２２および音孔２２Ａは、表示部２３よりもヒンジから離れた位置に配置されている。これにより、次のような効果を得ることができる。すなわち、この第２実施形態では、表示部２３とキー操作部２８は、表示側筐体２１とキー側筐体２７が重なり合うような状態（装置が閉じている状態）のときに、互いに向き合うように、表示側筐体２１、キー側筐体２７にそれぞれ配設されている。このため、端末装置２０を使用する場合には、操作者は、表示側筐体２１とキー側筐体２７を図２（ａ）に示すような状態（装置が開いている状態）にして、表示部２３およびキー操作部２８を露出させる。そして、操作者は、表示部２３と対面した状態でキー操作部２８を操作（キー入力）する。また、通話する場合には、例えば、操作者は上記のように表示部２３と対面した状態で通話することが想定される。この第２実施形態では、マイク２２は表示部２３の近傍に配置されている。上記のように表示部２３に対面して通話することと、マイク２２が表示部２３の近傍に配置されていることとによって、通話の音声が直接的にマイク２２に取り込まれるだけでなく、表示部２３で反射された音声の一部もマイク２２に取り込まれることになる。このため、通話の音声が直接的にマイク２２に取り込まれるだけの場合に比べて、マイク２２で拾うことができる通話音声を、表示部２３で反射された後にマイク２２に取り込まれる音声の分、増加できる。換言すれば、通話音声の集音効果を高めることができる。このことは、本発明者の実験により確認されている。
【００２６】
その実験では、図２（ａ）のような位置にマイク２２が設けられている場合と、図１０のように携帯電話機７５の操作部７６側の位置にマイク７７および音孔７７Ａが設けられている場合とで、マイク２２，７７に取り込まれる通話音声の音量を比較した。この実験では、図１０に示されるような場合に比べて、図２（ａ）に示される場合は、マイクに取り込まれる音声の音量が約６dB高くなるという結果を得た。
【００２７】
さらに、この第２実施形態のようにマイク２２と音孔２２Ａを、表示部２３よりもヒンジから離れた位置に配置することによって、例えば図１０に示されるような場合に比べて、マイク２２はキー操作部２８から離れる。このため、キー操作部２８のキーの操作音がマイク２２に取り込まれにくくなるという効果も得ることができる。
【００２８】
制御部３０は、端末装置２０の動作を制御する機能を備えているものであり、例えば、記憶装置やＣＰＵ（Central-Processing-Unit（中央演算処理装置））を備えて構成されている。この第２実施形態では、制御部３０は、マイク２２から出力される音声信号を処理する音声信号処理部としての機能を備えている。なお、制御部３０の詳細な機能や動作は、例えば所定の仕様等により定められるものであり、多種多様である。この第２実施形態では、制御部３０の詳細な機能や動作は特に限定されるものではなく、その説明は省略する。
【００２９】
スピーカ２９は、キー側筐体２７の音孔２９Ａに隣接して配置されている。当該スピーカ２９は、主に通話用に使用されるものであり、制御部３０から出力された信号に基づいて受話音声を発する機能を備えている。この第２実施形態では、スピーカ２９の音孔２９Ａは、前述したように、端末装置２０を操作している最中の操作者に向き合う位置に配置されているため、スピーカ２９の音は操作者に向けて発せられることになる。このため、スピーカ２９の音を操作者が聞き取りやすくなるという効果を得ることができる。
【００３０】
キー操作部２８は、情報を入力するためのものであり、この第２実施形態では、情報入力の効率化を図るために、テンキーやファンクションキーをも備えた所謂フルキーボードタイプのキー操作部となっている。
【００３１】
アンテナ３２は、所定の周波数帯域の電波の送受信が可能な機能を備えている。この第２実施形態では、当該アンテナ３２は、携帯電話通信網にアクセスするための無線通信に用いられるものであり、上記所定の周波数帯域とは、アクセス対象の携帯電話通信網に応じて設定されている。また、この第２実施形態では、アンテナ３２として、キー側筐体２７に内蔵可能なタイプのアンテナを採用している。なお、アンテナには、キー側筐体２７から突出する例えばホイップアンテナ等の種類があり、このような突出するタイプのアンテナをアンテナ３２として採用してもよいものである。
【００３２】
無線部３１は、通話音声等の無線送信対象の信号を変調してアンテナ３２から送信させる変調回路や、アンテナ３２で受信された電波を検波して音声等の信号を復調する復調回路を含む高周波回路である。
【００３３】
音声信号伝送回路２５は、表示側筐体２１に内蔵されているマイク２２から、キー側筐体２７に内蔵されている制御部（音声信号処理部）３０に、音声信号を伝送するものである。当該音声信号伝送回路２５は、音声信号を伝送するために、表示回路２４が形成される回路基板と同じ回路基板に形成される配線パターン（音声信号用配線パターン）を含んでいる。ところで、前述したように、マイク２２は、表示部２３および表示回路２４よりもキー側筐体２７（制御部３０）から離れた位置に配設されている。また、端末装置２０に対する小型化の要求のために表示側筐体２１の大きさは限られている。これらのことから、前記音声信号用配線パターンは、表示回路２４の周辺領域に表示回路２４を迂回するように長く形成される。このため、表示回路２４の駆動信号と、音声信号用配線パターンの音声信号とが電磁界結合しやすく、その電磁界結合のために、表示回路２４に起因したノイズが音声信号に乗ってしまう事態が生じやすくなる。つまり、表示回路２４の駆動信号の流れによって当該駆動信号の周囲には磁界が発生している。表示回路２４の近傍に音声信号配線パターンが配置されていると、その表示回路２４の駆動信号による磁界が音声信号用配線パターンを横切って当該音声信号用配線パターンに誘導起電力が発生しやすい（電磁界結合が生じやすい）。上記誘導起電力が音声信号用配線パターンに発生すると、その誘導起電力に起因したノイズが音声信号に生じるという事態が発生する。
【００３４】
このような事態に対し、本発明者は、その音声信号のノイズ対策のために、表示回路２４の駆動信号と、音声信号用配線パターンの音声信号との電磁界結合を抑制することを考えた。電磁界結合を抑制するためには、音声信号伝送回路のインピーダンスを下げることが有効である。これにより、表示回路２４の駆動信号の磁界によって音声信号用配線パターンに誘起される誘導起電力を小さくすることができ、表示回路２４に起因した音声信号のノイズを低減できる。しかし、音声信号のレベルは、音声信号伝送回路のインピーダンスに応じて変化するので、音声信号伝送回路のインピーダンスを下げると、音声信号のレベルが低くなる虞がある。
【００３５】
そこで、本発明者は、音声信号の周波数帯域（１０KHz帯）と表示回路２４の駆動信号の周波数帯域（例えば１００KHz帯）とが異なることに着目した。そして、本発明者は、音声信号伝送回路において、表示回路２４の駆動信号の周波数帯域（駆動周波数帯域）でのインピーダンスを音声信号の周波数帯域でのインピーダンスよりも下げることにより、表示回路２４の駆動信号と、音声信号との電磁界結合を抑制することを考え出した。つまり、図３に示されるように、音声信号伝送回路２５は、マイク２２と制御部３０を接続している音声信号路（信号線）３５と、電磁界結合抑制部である負荷抵抗回路３６とを備えている。
【００３６】
音声信号路３５は、マイク２２と制御部３０を接続する信号線であり、前述したような音声信号用配線パターンを含んでいる。
【００３７】
負荷抵抗回路３６は、マイク電源３７からマイク２２に電力を供給する電源供給路４０に介設され、音声信号伝送回路２５のインピーダンスを設定する機能を備えている。この第２実施形態では、負荷抵抗回路３６は、インダクタＬとコンデンサＣの並列共振回路（タンク回路）３８と、負荷抵抗部３９との直列接続回路であり、負荷抵抗部３９が電源供給路４０に直列接続するように、電源供給路４０に介設される。
【００３８】
並列共振回路３８は、音声信号の周波数帯域に共振周波数を持つように設計されている。このため、並列共振回路３８は、音声信号の周波数帯域においてインピーダンスが最大となり、その音声信号の周波数帯域から離れた表示回路２４の駆動周波数帯域ではインピーダンスが最小になるインピーダンス特性を持つ回路となる。
【００３９】
負荷抵抗部３９は、定抵抗の回路である。当該負荷抵抗部３９は、音声信号の周波数帯域における並列共振回路３８のインピーダンスを考慮し、音声信号路３５の音声信号を所定の電圧レベルにするインピーダンスを負荷抵抗回路３６が持つことができるように、抵抗値が設定されている。前述したように、並列共振回路３８は、音声信号の周波数帯域ではインピーダンスが高くなるために、当該並列共振回路３８が設けられていない場合に比べて、負荷抵抗部３９の抵抗値を小さくできる。
【００４０】
この第２実施形態では、上記のような並列共振回路３８を備えた負荷抵抗回路３６を備えているので、音声信号伝送回路２５のインピーダンスと周波数との関係は、図４のグラフに示されるような関係となる。つまり、音声信号の周波数帯域Ａでは、並列共振回路３８のインピーダンスが大きくなって音声信号伝送回路２５のインピーダンスも高くなる。これに対して、表示回路２４の駆動周波数帯域Ｂでは、並列共振回路３８のインピーダンスは非常に低くなるので、音声信号伝送回路２５のインピーダンスは、負荷抵抗部３９の抵抗値によってほぼ定まり、小さくなる。
【００４１】
上記のように、音声信号伝送回路２５のインピーダンスが周波数によって変化するので、音声信号伝送回路２５は、音声信号の周波数帯域では、所定レベルの音声信号を伝送できる上に、表示回路２４の駆動周波数帯域では、表示回路２４との電磁界結合を抑制できる。これにより、表示回路２４に起因した音声信号のノイズを抑制できる。
【００４２】
ところで、表示回路２４の駆動信号と音声信号との電磁界結合を抑制すべく音声信号伝送回路のインピーダンスを低くする手法として、図５に示されるようなトランジスタＴｒと抵抗部Ｒ１，Ｒ２を備えた回路４１を設けることが考えられる。しかしながら、その回路４１を設ける場合には、トランジスタＴｒを駆動させるための配線が必要であり、回路構成が複雑になるという問題が生じる。これに対して、この第２実施形態では、そのようなトランジスタＴｒを駆動させるための配線が必要でないことから、トランジスタＴｒを設けることに起因した回路構成の煩雑化を抑制することができる。
【００４３】
（第３実施形態）
以下に、第３実施形態を説明する。
【００４４】
この第３実施形態の端末装置では、第２実施形態で述べた図３に示されるような音声信号伝送回路２５に代えて、図６に示されるような音声信号伝送回路４５が設けられている。それ以外の端末装置の構成は、第２実施形態と同様であり、ここでは、その共通部分の重複説明は省略する。
【００４５】
この第３実施形態における音声信号伝送回路４５は、表示回路２４に起因した音声信号のノイズを減衰させてから音声信号を制御部３０に供給するためのノイズ減衰部を備えている。つまり、音声信号伝送回路４５は、以下に述べるような、音声信号路４６と共に、ノイズ減衰部として前置増幅部４７および減衰部４８を備えている。すなわち、音声信号路４６は、第２実施形態における音声信号路３５と同様の信号路であり、表示側筐体２１に内蔵の回路基板に形成された音声信号用配線パターンを含んでいる。当該音声信号用配線パターンは、表示回路２４の駆動信号と音声信号との電磁界結合が生じやすい部分（以下、電磁界結合発生部分という）である。
【００４６】
前置増幅部４７は、音声信号路４６における電磁界結合発生部分よりも音声信号の上流側に配置されている。この前置増幅部４７は、マイク２２から出力された音声信号の電圧レベルを所定の増幅率でもって高める増幅器により構成されている。その所定の増幅率は、例えばマイク２２から出力される音声信号の電圧レベルや表示回路２４の駆動信号の大きさ等を考慮して適宜に定められるものである。例えば、前置増幅部４７は、マイク２２から出力された数ミリボルトの音声信号の電圧レベルを２０dB増幅させる。
【００４７】
減衰部４８は、音声信号路４６における電磁界結合発生部分よりも音声信号の下流側に配置されている。当該減衰部４８は、前置増幅部４７によって増幅された音声信号の電圧レベルを制御回路３０に適した電圧レベルまで音声信号を減衰させる減衰器により構成されている。例えば、減衰部４８は、音声信号の電圧レベルを２０dB減衰させる。
【００４８】
音声信号伝送回路４５では、電磁界結合発生部分よりも音声信号の上流側で音声信号を増幅しているので、電磁界結合発生部分を通電している音声信号の電圧レベルはその増幅されたレベルになる。このため、音声信号の大きさに対する表示回路２４に起因したノイズの相対的な大きさを小さくできて、音声信号のＳＮ比の悪化を抑制できる。このようなＳＮ比の悪化が抑制された音声信号を、電磁界結合発生部分よりも音声信号の下流側（つまり、表示回路２４に起因したノイズの混入の虞が小さくなった部分）で減衰させるので、適切なレベルであって、しかも、ＳＮ比の良好な音声信号を制御部３０に供給できる。
【００４９】
（第４実施形態）
以下に、第４実施形態を説明する。
【００５０】
この第４実施形態の端末装置では、第２実施形態で述べた音声信号伝送回路２５に代えて、図７に示されるような音声信号伝送回路５０が設けられている。それ以外の端末装置の構成は、第２実施形態と同様であり、ここでは、その共通部分の重複説明は省略する。
【００５１】
この第４実施形態では、表示回路２４の駆動信号と音声信号との電磁界結合を抑制するために、光伝送を利用している。つまり、音声信号伝送回路５０は、電磁界結合抑制部として、以下に述べるような光変調部５１と光復調部５２と光伝送路５３を備えている。すなわち、光変調部５１は、マイク２２の近傍（つまり、音声信号伝送経路における電磁界結合発生部分よりも音声信号の上流側）に設けられている。当該光変調部５１は、例えば電気信号を光信号に変換する発光素子（例えば発光ダイオード（ＬＥＤ（Light-Emitting-Diode）））を備え、マイク２２から出力された音声信号を光信号に変換して出力する。光復調部５２は、制御部３０の近傍（つまり、音声信号伝送経路における電磁界結合発生部分よりも音声信号の下流側）に設けられている。当該光復調部５２は、例えば、受光した光信号を電気信号に変換する受光素子（例えばフォトダイオード）を備え、光信号を電気信号に変換し当該電気信号を制御部３０に供給する。光伝送路５３は、光変調部５１から光復調部５２に光信号を伝送する伝送路であり、例えば光ファイバにより構成される。
【００５２】
この第４実施形態では、マイク２２から制御部３０に至るまでの音声信号の経路の大部分において音声信号は光信号の態様でもって伝送される。つまり、音声信号は、表示回路２４の駆動信号と電磁界結合しやすい領域を、光伝送される。このため、音声信号と、表示回路２４の駆動信号との電磁界結合を回避することができる。これにより、表示回路２４に因るノイズが電磁界結合によって音声信号に混入する事態を防止できて、ＳＮ比の良好な音声信号を制御部３０に供給することができる。
【００５３】
（第５実施形態）
以下に、第５実施形態を説明する。
【００５４】
この第５実施形態の端末装置では、第２実施形態で述べた音声信号伝送回路２５に代えて、図８（ａ）に示されるような音声信号伝送回路５５が設けられている。それ以外の端末装置の構成は、第２実施形態と同様であり、ここでは、その共通部分の重複説明は省略する。
【００５５】
この第５実施形態における音声信号伝送回路５５は、表示回路２４に起因した音声信号のノイズを減衰させてから音声信号を制御部３０に供給するためのノイズ減衰部を備えている。つまり、音声信号伝送回路５５は、以下に述べるような、音声信号路５６と共に、ノイズ減衰部としてデジタル変換部５７およびアナログ変換部５８を備えている。
【００５６】
音声信号路５６は、第２実施形態における音声信号路３５と同様の信号路であり、表示側筐体２１に内蔵の回路基板に形成された音声信号用配線パターンを含んでいる。
【００５７】
デジタル変換部５７は、音声信号路５６における電磁界結合発生部分よりも音声信号の上流側に配置されている。このデジタル変換部５７は、アナログ信号をデジタル信号に変換する例えばデルタシグマ変換器等の変換器を備え、マイク２２から出力されたアナログの音声信号をデジタル信号に変換し当該デジタルの音声信号を出力する機能を備えている。例えば、デジタル変換部５７としてデルタシグマ変換器が設けられる場合には、アナログの音声信号レベルに応じたパルス幅を持つデジタル信号が出力される。
【００５８】
アナログ変換部５８は、音声信号路５６における電磁界結合発生部分よりも音声信号の下流側に配置されている。このアナログ変換部５８は、デジタル信号をアナログ信号に変換する例えばローパスフィルタ等の変換器を備え、デジタル変換部５７側から伝送されてきたデジタルの音声信号をアナログ信号に変換し当該アナログの音声信号を制御部３０に出力する機能を備えている。
【００５９】
このアナログ変換部５８によって、表示回路２４に起因して音声信号に混入したノイズを減衰させることができる。その理由は次の通りである。すなわち、表示回路２４の駆動周波数帯は音声信号の周波数帯域よりも高いことから、その表示回路２４に起因したノイズが含まれているデジタルの音声信号の波形は、例えば、図８（ｂ）に示されるようなデジタル波形６０となる。このような波形のデジタル信号がアナログ変換部（例えばローパスフィルタ）５８に入力すると、当該アナログ変換部５８の整流動作によって、例えば図８（ｂ）に示されるような波形６１のアナログ信号が出力される。そのアナログ変換部５８の整流動作によって、デジタル信号のノイズは減衰（ほぼ除去）される。
【００６０】
上記のようなノイズ減衰部としてのデジタル変換部５７とアナログ変換部５８を備えることによって、この第５実施形態における音声信号伝送回路５５は、表示回路２４に起因したノイズが低減された音声信号を制御部３０に供給できる。
【００６１】
（第６実施形態）
以下に、第６実施形態を説明する。
【００６２】
この第６実施形態の端末装置では、第２実施形態で述べた音声信号伝送回路２５に代えて、図９に示されるような音声信号伝送回路６５が設けられている。それ以外の端末装置の構成は、第２実施形態と同様であり、ここでは、その共通部分の重複説明は省略する。
【００６３】
この第６実施形態では、表示回路２４の駆動信号と音声信号との電磁界結合を抑制するために、無線通信を利用している。つまり、音声信号伝送回路６５は、電磁界結合抑制部として、以下に述べるような音声信号無線送信部６６とアンテナ６７と音声信号無線受信部６８とアンテナ６９を備えている。
【００６４】
アンテナ６７，６９は、所定の周波数帯域（例えば携帯電話のための無線通信で利用される周波数帯とは異なる周波数帯域）の電波の送受信が可能なものである。
【００６５】
音声信号無線送信部６６は、マイク２２の近傍（つまり、音声信号伝送経路における電磁界結合発生部分よりも音声信号の上流側）に設けられている。当該音声信号無線送信部６６は、変調回路（例えば周波数変調（ＦＭ（frequency-modulation）変調）回路）を含んでおり、マイク２２から出力された音声信号を変調してアンテナ６７に出力する機能を備えている。変調後の音声信号はアンテナ６７によって無線送信される。
【００６６】
音声信号無線受信部６８は、制御部３０の近傍（つまり、音声信号伝送経路における電磁界結合発生部分よりも音声信号の下流側）に設けられている。当該音声信号無線受信部６８は、復調回路（例えばＦＭ復調回路）を含んでおり、アンテナ６８で受信された信号を復調して音声信号を取り出し当該音声信号を制御部３０に出力する機能を備えている。
【００６７】
この第６実施形態では、無線通信を利用して音声信号をマイク２２から制御部３０に伝送している。このため、音声信号は、表示回路２４との電磁界結合が発生する虞のある配線パターンを通らずに済む。このことから、表示回路２４の駆動信号と音声信号との電磁界結合を回避できる。これにより、表示回路２４に起因したノイズが音声信号に混入することを防止でき、ＳＮ比の良好な音声信号を制御部３０に供給することができる。
【００６８】
（その他の実施形態）
なお、この発明は第１〜第６の各実施形態に限定されるものではなく、様々な実施の形態を採り得る。例えば、第２〜第６の各実施形態では、音声信号伝送回路は、電磁界結合抑制部と、ノイズ減衰部との何れか一方のみを備えるものであったが、音声信号伝送回路は、電磁界結合抑制部と、ノイズ減衰部との両方を備えていてもよい。例えば、音声信号伝送回路は、第２実施形態に示した負荷抵抗回路３６を含む電磁界結合抑制部と、第３実施形態に示した前置増幅部４７と減衰部４８を含むノイズ減衰部とを両方共に備えていてもよい。
【００６９】
さらに、音声信号伝送回路は、例えば、第３実施形態に示した前置増幅部４７と減衰部４８を含むノイズ減衰部と、第５実施形態に示したデジタル変換部５７とアナログ変換部５８を含むノイズ減衰部との両方を備えていてもよい。より具体的には、例えば、マイク２２から制御部３０への音声信号の経路において、マイク２２の近傍には当該マイク２２側から前置増幅部とデジタル変換部を順に配置し、制御部３０側には当該制御部３０側に向かってアナログ変換部と減衰部を順に配置する。このように、音声信号伝送回路は、第２〜第６の各実施形態に示した音声信号伝送回路の構成を２つ以上組み合わせた構成を備えていてもよいものである。
【００７０】
さらに、第２〜第６の各実施形態では、端末装置は、フルキーボードを備えていたが、本発明の端末装置は、フルキーボードを備えていない端末装置にも適用可能である。さらに、第２〜第６の各実施形態における端末装置は折り畳みタイプのものであったが、本発明の端末装置は、表示回路とマイクと音声信号処理部と音声信号伝送回路を備えた端末装置であれば、折り畳みタイプ以外の端末装置にも適用可能である。
【００７１】
さらに、第２〜第６の各実施形態では、携帯電話機能のための無線部３１やアンテナ３２は、制御部３０が設けられているキー側筐体２７に配設されていた。これに対し、無線部３１やアンテナ３２の一方又は両方は、設置スペース等を考慮して、表示側筐体２１側に配設されていてもよい。さらに、本発明の端末装置は、携帯電話機能を持たない端末装置にも適応可能である。
【００７２】
上記の実施形態の一部又は全部は、以下の付記のようにも記載されうるが、以下には限られない。
【００７３】
（付記１）
音声を電気信号に変換した音声信号と、情報を表示する表示部を駆動する表示回路との電磁界結合を抑制する電磁界結合抑制部と、
前記表示回路との前記電磁界結合に起因した前記音声信号のノイズを減衰させるノイズ減衰部とのうちの一方又は両方を備えている音声信号伝送回路。
【００７４】
（付記２）
前記電磁界結合抑制部として、前記音声信号を伝送する音声信号路のインピーダンスを設定する回路であって、前記音声信号の周波数帯域では前記音声信号を所定の電圧レベルにするインピーダンスであり、前記表示回路の駆動周波数帯域では前記音声信号の周波数帯域よりも低いインピーダンスの負荷抵抗回路を備えている付記１記載の音声信号伝送回路。
【００７５】
（付記３）
前記負荷抵抗回路は、前記音声の周波数帯域に共振周波数を持つ並列共振回路を含んでいる付記２記載の音声信号伝送回路。
【００７６】
（付記４）
前記電磁界結合抑制部として、前記電磁界結合が生じやすい前記音声信号の経路部分よりも前記音声信号の上流側に配置され前記音声信号を光信号に変換する光変調部と、前記電磁界結合が生じやすい前記音声信号の経路部分よりも前記音声信号の下流側に配置され前記光信号を電気信号に変換する光復調部と、前記光変調部から前記光復調部に前記光信号を伝送する光伝送路とを備えている付記１記載の音声信号伝送回路。
【００７７】
（付記５）
前記電磁界結合抑制部として、前記電磁界結合が生じやすい前記音声信号の経路部分よりも前記音声信号の上流側に配置され前記音声信号を搬送波に乗せて無線送信する音声信号無線送信部と、前記電磁界結合が生じやすい前記音声信号の経路部分よりも前記音声信号の下流側に配置され前記無線送信された前記搬送波を受信して前記音声信号を復調する音声信号無線受信部とを備えている付記１記載の音声信号伝送回路。
【００７８】
（付記６）
前記ノイズ減衰部として、前記電磁界結合が生じやすい前記音声信号の経路部分よりも前記音声信号の上流側に配置され前記音声信号を増幅する前置増幅部と、前記電磁界結合が生じやすい前記音声信号の経路部分よりも前記音声信号の下流側に配置され前記増幅された前記音声信号を減衰する減衰部とを備えている付記１記載の音声信号伝送回路。
【００７９】
（付記７）
前記ノイズ減衰部として、前記マイクから出力されたアナログの前記音声信号をデジタル信号に変換するデジタル変換部と、前記電磁界結合が生じやすい前記音声信号の経路部分よりも前記音声信号の下流側に配置されデジタルの前記音声信号をアナログ信号に変換するアナログ変換部とを備えている付記１記載の音声信号伝送回路。
【００８０】
（付記８）
前記デジタル変換部はデルタシグマ変換器を含み、前記アナログ変換部はローパスフィルタを含む付記７記載の音声信号伝送回路。
【００８１】
（付記９）
情報を表示する表示部を駆動する表示回路と、
音声を電気信号に変換した音声信号を出力するマイクと、
前記音声信号を信号処理する音声信号処理部と、
前記マイクから前記表示回路の周辺領域を通って前記音声信号処理部に前記音声信号を伝送する音声信号伝送回路と、
を備え、
前記音声信号伝送回路は、付記１乃至付記８の何れか一つに記載の音声信号伝送回路である端末装置。
【００８２】
（付記１０）
情報を入力するキー操作部と、
前記キー操作部と前記音声信号処理部が配置されるキー側筐体と、
前記表示部と前記表示回路が配置される表示側筐体と、
をさらに備えている付記９記載の端末装置。
【００８３】
（付記１１）
前記表示部が配置される面を持つ筐体をさらに備え、
前記表示部が配置される前記筐体面には、前記マイクの音孔が設けられている付記９記載の端末装置。
【００８４】
（付記１２）
音声が電気信号に変換された音声信号と、情報を表示する表示部を駆動する表示回路との電磁界結合を抑制するか、または、前記表示回路との前記電磁界結合に起因した前記音声信号のノイズを減衰させるか、または、前記電磁界結合を抑制し且つ前記ノイズを減衰させ、
前記ノイズの抑制された前記音声信号を所定の伝送先に伝送する音声信号伝送方法。
【００８５】
（付記１３）
前記音声の周波数帯域では前記音声信号を所定の電圧レベルにするインピーダンスであり、前記表示回路の駆動周波数帯域では前記音声の周波数帯域よりも低いインピーダンスの負荷抵抗回路を前記音声信号の経路に接続して前記電磁界結合を抑制する付記１２記載の音声信号伝送方法。
【符号の説明】
【００８６】
１，２５，３５，４５，５０，５５，６５  音声信号伝送回路
５，２０  端末装置
６，２２  マイク
７，２４  表示回路
３０  制御部
３６  負荷抵抗回路
３８  並列共振回路
【図１】
2011229048.tif 000003
【図２】
2011229048.tif 000004
【図３】
2011229048.tif 000005
【図４】
2011229048.tif 000006
【図５】
2011229048.tif 000007
【図６】
2011229048.tif 000008
【図７】
2011229048.tif 000009
【図８】
2011229048.tif 000010
【図９】
2011229048.tif 000011
【図１０】
2011229048.tif 000012
【図１１】
2011229048.tif 000013